【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
プロセッサを備え、前記プロセッサは、少なくとも、
１または複数のチャネル状態情報（ＣＳＩ）プロセス
を用いて構成され、前記プロセッサは、少なくとも、
表示をＣＳＩ要求フィールドで受信することであって、前記表示は、前記１または複数のＣＳＩプロセスのうちの少なくとも１つを示す、受信することと、
前記１または複数のＣＳＩプロセスのうちの前記少なくとも１つに対応する非周期的報告を生成することと、
物理アップリンク共有チャネル（ＰＵＳＣＨ）を介して前記報告を送信することと
を行うように構成される
ことを特徴とする無線送受信ユニット（ＷＴＲＵ）。
【請求項２】
プロセッサを備え、前記プロセッサは、少なくとも、
１または複数のチャネル状態情報（ＣＳＩ）プロセス
を用いて構成され、前記プロセッサは、少なくとも、
表示をＣＳＩ要求フィールドで受信することであって、前記表示は、前記１または複数のＣＳＩプロセスのうちの少なくとも１つを示す、受信することと、
前記１または複数のＣＳＩプロセスのうちの前記少なくとも１つに対応する非周期的報告を生成することと、
物理アップリンク共有チャネル（ＰＵＳＣＨ）を介して前記報告を送信することと
を行うように構成される
ことを特徴とする無線送受信ユニット（ＷＴＲＵ）。
【請求項３】
プロセッサを備え、前記プロセッサは、少なくとも、
１または複数のチャネル状態情報（ＣＳＩ）プロセス
を用いて構成され、前記プロセッサは、少なくとも、
表示をＣＳＩ要求フィールドで受信することであって、前記表示は、前記１または複数のＣＳＩプロセスのうちの少なくとも１つを示す、受信することと、
前記１または複数のＣＳＩプロセスのうちの前記少なくとも１つに対応する非周期的報告を生成することと、
物理アップリンク共有チャネル（ＰＵＳＣＨ）を介して前記報告を送信することと
を行うように構成される
ことを特徴とする無線送受信ユニット（ＷＴＲＵ）。
【請求項４】
プロセッサを備え、前記プロセッサは、少なくとも、
１または複数のチャネル状態情報（ＣＳＩ）プロセス
を用いて構成され、前記プロセッサは、少なくとも、
表示をＣＳＩ要求フィールドで受信することであって、前記表示は、前記１または複数のＣＳＩプロセスのうちの少なくとも１つを示す、受信することと、
前記１または複数のＣＳＩプロセスのうちの前記少なくとも１つに対応する非周期的報告を生成することと、
物理アップリンク共有チャネル（ＰＵＳＣＨ）を介して前記報告を送信することと
を行うように構成される
ことを特徴とする無線送受信ユニット（ＷＴＲＵ）。
【請求項５】
プロセッサを備え、前記プロセッサは、少なくとも、
１または複数のチャネル状態情報（ＣＳＩ）プロセス
を用いて構成され、前記プロセッサは、少なくとも、
表示をＣＳＩ要求フィールドで受信することであって、前記表示は、前記１または複数のＣＳＩプロセスのうちの少なくとも１つを示す、受信することと、
前記１または複数のＣＳＩプロセスのうちの前記少なくとも１つに対応する非周期的報告を生成することと、
物理アップリンク共有チャネル（ＰＵＳＣＨ）を介して前記報告を送信することと
を行うように構成される
ことを特徴とする無線送受信ユニット（ＷＴＲＵ）。
【請求項６】
無線送受信ユニット（ＷＴＲＵ）によって実行される方法であって、前記方法は、
前記ＲＩを少なくとも第２のＣＳＩプロセスに関連付けるステップと、
共通ＲＩ値を報告するステップであって、前記共通ＲＩ値は、前記第１のＣＳＩプロセスおよび前記少なくとも第２のＣＳＩプロセスに関連付けられるＲＩである、ステップと
を備えたことを特徴とする方法。
【請求項７】
無線送受信ユニット（ＷＴＲＵ）によって実行される方法であって、前記方法は、
前記ＲＩを少なくとも第２のＣＳＩプロセスに関連付けるステップと、
共通ＲＩ値を報告するステップであって、前記共通ＲＩ値は、前記第１のＣＳＩプロセスおよび前記少なくとも第２のＣＳＩプロセスに関連付けられるＲＩである、ステップと
を備えたことを特徴とする方法。
【請求項８】
無線送受信ユニット（ＷＴＲＵ）によって実行される方法であって、前記方法は、
前記ＲＩを少なくとも第２のＣＳＩプロセスに関連付けるステップと、
共通ＲＩ値を報告するステップであって、前記共通ＲＩ値は、前記第１のＣＳＩプロセスおよび前記少なくとも第２のＣＳＩプロセスに関連付けられるＲＩである、ステップと
を備えたことを特徴とする方法。
【請求項９】
無線送受信ユニット（ＷＴＲＵ）によって実行される方法であって、前記方法は、
前記ＲＩを少なくとも第２のＣＳＩプロセスに関連付けるステップと、
共通ＲＩ値を報告するステップであって、前記共通ＲＩ値は、前記第１のＣＳＩプロセスおよび前記少なくとも第２のＣＳＩプロセスに関連付けられるＲＩである、ステップと
を備えたことを特徴とする方法。
【請求項１０】
無線送受信ユニット（ＷＴＲＵ）によって実行される方法であって、前記方法は、
前記ＲＩを少なくとも第２のＣＳＩプロセスに関連付けるステップと、
共通ＲＩ値を報告するステップであって、前記共通ＲＩ値は、前記第１のＣＳＩプロセスおよび前記少なくとも第２のＣＳＩプロセスに関連付けられるＲＩである、ステップと
を備えたことを特徴とする方法。
【請求項１１】
プロセッサを備え、前記プロセッサは、少なくとも、
１または複数のチャネル状態情報（ＣＳＩ）プロセスと、
前記１または複数のＣＳＩプロセスに対応する１または複数のタイプのフィードバック報告と
を用いて構成され、前記プロセッサは、
前記１または複数のＣＳＩプロセスのうちの第１のＣＳＩプロセスに対応する第１の周期的報告を生成することであって、前記第１の周期的報告は、前記１または複数の報告タイプのうちのランクインジケータ（ＲＩ）報告タイプに対応する、生成することと、
前記１または複数のＣＳＩプロセスのうちの第２のＣＳＩプロセスに対応する第２の周期的報告を生成することであって、前記第２の周期的報告は、前記１または複数の報告タイプのうちの前記ＲＩ報告タイプに対応する、生成することと、
前記第１の周期的報告と前記第２の周期的報告の間で衝突が生じた場合、前記第１の周期的報告または前記第２の周期的報告の一方を廃棄することであって、前記第１の周期的報告および前記第２の周期的報告は、前記第１の周期的報告および前記第２の周期的報告の両方に適用可能なＲＩ値を含む、廃棄することと
を行うように構成される
ことを特徴とする無線送受信ユニット（ＷＴＲＵ）。
【請求項１２】
プロセッサを備え、前記プロセッサは、少なくとも、
１または複数のチャネル状態情報（ＣＳＩ）プロセス
を用いて構成され、前記プロセッサは、少なくとも、
前記１もしくは複数のＣＳＩプロセスの各々についての物理ダウンリンク共有チャネル（ＰＤＳＣＨ）送信電力、または前記１もしくは複数のＣＳＩプロセスの各々に対する、ＰＤＳＣＨリソース要素当たりのエネルギー（ＥＰＲＥ）対ＣＳＩ  ＥＰＲＥの異なる比のうちの少なくとも一方を仮定すること
を行うように構成される
ことを特徴とする無線送受信ユニット（ＷＴＲＵ）。
【請求項１３】
プロセッサを備え、前記プロセッサは、少なくとも、
１または複数のチャネル状態情報（ＣＳＩ）プロセス
を用いて構成され、前記プロセッサは、少なくとも、
前記１もしくは複数のＣＳＩプロセスの各々についての物理ダウンリンク共有チャネル（ＰＤＳＣＨ）送信電力、または前記１もしくは複数のＣＳＩプロセスの各々に対する、ＰＤＳＣＨリソース要素当たりのエネルギー（ＥＰＲＥ）対ＣＳＩ  ＥＰＲＥの異なる比のうちの少なくとも一方を仮定すること
を行うように構成される
ことを特徴とする無線送受信ユニット（ＷＴＲＵ）。
【請求項１４】
無線送受信ユニット（ＷＴＲＵ）と通信するｅｖｏｌｖｅｄノードＢ（ｅＮＢ）であって、
プロセッサを備え、前記プロセッサは、少なくとも、
前記ＷＴＲＵに構成を提供することであって、前記構成は、少なくとも、
１または複数のチャネル状態情報（ＣＳＩ）プロセスと、
ＣＳＩ要求フィールドであって、前記１または複数のＣＳＩプロセスのうちの少なくとも１つを示す表示が関連付けられるＣＳＩ要求フィールドと
を含む、提供することと、
物理アップリンク共有チャネル（ＰＵＳＣＨ）を介して、前記ＷＴＲＵから、前記１または複数のＣＳＩプロセスのうちの少なくとも１つに対応する非周期的報告を受信することと
を行うように構成される
ことを特徴とするｅｖｏｌｖｅｄノードＢ（ｅＮＢ）。